(57)【特許請求の範囲】
【請求項１】
第１シールド部材を有する表示ユニットと、
第２シールド部材で所定の電子部品が覆われる回路基板と、
前記表示ユニットを前面側に収容し前記回路基板を背面側に固定する中ケースと、を備え、
前記第１シールド部材と前記第２シールド部材とが金属製スペーサで接続され、
前記第２シールド部材と前記回路基板のグランドとが金属製弾性体で接続される、
ことを特徴とする車両用計器。
【請求項２】
前記所定の電子部品は、前記表示ユニットに表示させる画像を生成する描画マイコンである、
ことを特徴とする請求項１に記載の車両用計器。
【請求項３】
前記所定の電子部品は、前記回路基板の前記中ケースに対向しない面に実装される、
ことを特徴とする請求項１または請求項２に記載の車両用計器。
【発明の詳細な説明】
【技術分野】
【０００１】
本発明は、電子部品が発する放射ノイズを抑制するシールド部材を備えた車両用計器に関するものである。
【背景技術】
【０００２】
従来、特許文献１に開示されている車両用計器がある。この車両用計器は、シールド部材を備えた表示ユニットと、この表示ユニットを駆動する電子部品が実装された回路基板を有するものである。
【先行技術文献】
【特許文献】
【０００３】
【特許文献１】特開２００５−４９６０３公報
【発明の概要】
【発明が解決しようとする課題】
【０００４】
特許文献１に開示されている車両用計器においては、表示ユニットを駆動する電子部品が高性能になるにつれ、この電子部品の放射ノイズを抑えるシールド部材が必要となってくる。しかしながら、単にそれぞれの部材にシールド部材を設ける構成においては、各シールド部材を安定した同一のグランドに接続することがシールド効果を高める上で好ましいが、各シールド部材の配置上難しいことがある。
【０００５】
本発明はこのような点に鑑みてなされたものであり、複数のシールド部材のシールド効果を高めた車両用計器を提供することを目的とする。
【課題を解決するための手段】
【０００６】
本発明に係る車両用計器は、
第１シールド部材を有する表示ユニットと、
第２シールド部材で所定の電子部品が覆われる回路基板と、
前記表示ユニットを前面側に収容し前記回路基板を背面側に固定する中ケースと、を備え、
前記第１シールド部材と前記第２シールド部材とが金属製スペーサで接続され、
前記第２シールド部材と前記回路基板のグランドとが金属製弾性体で接続される。
【０００７】
本発明に係る車両用計器の
前記所定の電子部品は、前記表示ユニットに表示させる画像を生成する描画マイコンである、
ことが好ましい。
【０００８】
本発明に係る車両用計器の
前記所定の電子部品は、前記回路基板の前記中ケースに対向しない面に実装される、
ことが好ましい。
【発明の効果】
【０００９】
複数のシールド部材のシールド効果を高めた車両用計器を提供する。
【図面の簡単な説明】
【００１０】
【図１】本発明の一実施形態である車両用計器の正面図。
【図２】同車両用計器のＡ−Ａ断面図。
【発明を実施するための形態】
【００１１】
以下、添付図面に基づいて、本発明の実施形態を説明する。
【００１２】
車両用計器Ｍは、表示ユニット１と、機械式計器２と、回路基板３と、ケース体４と、から主に構成される。
【００１３】
表示ユニット１と機械式計器２は、回路基板３に制御されて、車両の走行速度やエンジン回転数、経路案内情報などの車両の運転に関わる情報を提供する。
【００１４】
表示ユニット１は、例えば、表示面１０がある薄膜トランジスタ型カラー液晶モジュールである。表示ユニット１の表示面１０以外の箇所は、例えばアルミニウムなどの金属製のシールド部材１１で覆われている。このシールド部材１１の背面Ｂ側には、雌ねじを有する取付部１１ａ，１１ｂが形成されている。
【００１５】
機械式計器２は、指標部２０ａが形成された文字板２０と、指針２１と、から構成される。
【００１６】
回路基板３は、表示ユニット１に表示するための画像を生成する描画マイコン３０と、文字板２０を照明するＬＥＤ３１と、指針を回動させるステッピングモータ３２と、図示しない制御マイコンと、各種回路や配線が実装されたリジット基板である。
【００１７】
ケース体４は、中ケース４０と、下ケース４１と、上ケース４２と、カバーガラス４３と、から構成される。
【００１８】
中ケース４０は例えばポリプロピレン（ＰＰ）などの不透明な樹脂から形成され、表示ユニット１と文字板２０と回路基板３の配置を定めるケース体である。
【００１９】
中ケース４０の前面Ｆ側には、収容部４０ａが形成されている。表示ユニット１は、収容部４０ａに表示面１０ａが前面Ｆ側に向くように収容される。中ケースは、収容部４０ａに表示ユニット１が収容された状態で、表示ユニット１の取付部１１ａに金属製のスペーサ５の雄螺子が中ケース４０を挟んで螺合され、表示ユニット１が固定される。中ケース４０の前面Ｆ側には、文字板２０が載置される。また、中ケース４０の裏面Ｂ側には、表示ユニット１の取付部１１ｂにビス６ａの雄螺子が回路基板３を挟んで螺合され、回路基板３が固定される。
【００２０】
スペーサ５の雌螺子には、例えばアルミニウムなどの金属製のシールド部材７が、回路基板３の背面Ｂ側の描画マイコン３０を覆うように、ビス６ｂで固定されている。シールド部材７と回路基板３のグランドとの間には金属板をＺ字状に屈曲させた金属製弾性体８が設けられており、シールド部材７が回路基板３のグランドに接地するようになっているとともに、シールド部材１１も回路基板３のグランドに接地する。車両用計器Ｍにおいては回路基板３のグランドが最も表面積の大きいグランドであり、シールド部材１１とシールド部材７は同一の安定したグランドに接地することとなる。
【００２１】
下ケース４１は、例えばアクリロニトリル エチレン プロピレン ジエン スチレン（ＡＥＳ）やＰＰ等の不透明な樹脂から形成され、中ケース４０を背面Ｂ側から覆うケース体である。
【００２２】
上ケース４２は、例えばＡＥＳやＰＰ等の不透過な樹脂から形成され、下ケース４１とフック等により係合して中ケース４０を挟持するケース体である。
【００２３】
カバーガラス４３は、ポリメタクリル酸メチル樹脂（ＰＭＭＡ）などの光透過性を有する樹脂から形成され、上ケース４２の前面Ｆ側にフック等により係合し、表示ユニット１や機械式計器２を視認可能に前面Ｆ側から覆うケース体である。
【００２４】
上記のように本発明の実施形態である車両用計器Ｍは、第１シールド部材１１を有する表示ユニット１と、第２シールド部材７で所定の電子部品（描画マイコン）３０が覆われる回路基板３と、表示ユニット１を前面側に収容し回路基板３を背面側に固定する中ケース４０と、を備え、第１シールド部材１０と第２シールド部材７とが金属製スペーサ５で接続され、第２シールド部材７と回路基板３のグランドとが金属製弾性体８で接続される。
これによれば、車両用計器Ｍにおいて最も表面積の大きい回路基板３のグランドに第１シールド部材１０と第２シールド部材７とが接地するため、各シールド部材１０，７のシールド効果を高まる。
【００２５】
本発明は上記の実施形態（図面の内容を含む）によって限定されるものでない。本発明の主旨に従う範囲で、上記の実施形態に変更（構成要素の削除も含む）を加えることができる。
【００２６】
例えば、本発明の一実施形態として説明した車両用計器Ｍの第２シールド部材７で覆われた所定の電子部品は、描画マイコン３０に限らず、例えば描画マイコン３０を制御する制御マイコンや、描画マイコンや制御マイコンに電源を供給するスイッチングＩＣなどであってもよい。
【符号の説明】
【００２７】
Ｍ        ：車両用計器
１      ：表示ユニット
１１  ：シールド部材（第１シールド部材）
３      ：回路基板
３０  ：描画マイコン（所定の電子部品）
４      ：ケース体
４０  ：中ケース
５      ：スペーサ
７      ：シールド部材（第２シールド部材）
８      ：金属製弾性体
Ｆ        ：前面
Ｂ        ：背面
【図１】
0006614442.tif 000002
【図２】
0006614442.tif 000003